(57)【要約】      （修正有）【課題】ブラックマトリックス（遮光膜）とカラーフィルタとが重畳する箇所であって、柱状スペーサが配置される箇所に制約をなくすことのできる液晶表示装置の提供。【解決手段】液晶を挟持する一方の基板に、第１方向およびこの第１方向と交差する第２方向に並設された複数の画素ＰＩＸの間を覆うように形成されたマトリクス状の遮光膜ＢＭと、第１方向に延設されたストライプ形状の３色のカラーフィルタＣＦと、が層構造で形成され、かつ、前記ストライプ形状のカラーフィルタＣＦのうちの１のカラーフィルタＣＦｇが、前記遮光膜ＢＭと隣接する他色のカラーフィルタＣＦｂとの積層部に、更に重ねて第２方向に延在する延在部ＣＦＳｇを有し、前記延在部ＣＦＳｇに柱状スペーサＳＯＣを配設する。【選択図】図１
2011017751.tif 000002
【特許請求の範囲】
【請求項１】
液晶を挟持して対向配置される第１基板および第２基板と、第１方向およびこの第１方向と交差する第２方向に並設された複数の画素からなる表示領域を備える液晶表示装置であって、
前記第２基板の前記液晶側の面に、少なくとも遮光膜、カラーフィルタが、層構造で形成され、
前記第１基板あるいは前記第２基板の前記液晶側の面に柱状スペーサが形成され、
前記遮光膜は、少なくとも、第１方向に隣接する各画素の間に配置され第２方向に延在する部分を有して形成され、
前記カラーフィルタは、第１方向に並設される各画素に共通の色をなし、第２方向に沿って色の異なる第１カラーフィルタ、第２カラーフィルタ、および第３カラーフィルタが順次繰り返して配置され、
前記第１カラーフィルタは、隣接して配置される同色の他の第１カラーフィルタと前記遮光膜に重ねて延在する延在部によって接続されたパターンで形成され、
前記第１カラーフィルタと隣接して配置される第２カラーフィルタあるいは第３カラーフィルタのいずれかのカラーフィルタは、前記第１カラーフィルタの前記第１方向に延在する部分と交差する前記遮光膜に重ねて延在する延在部を有するパターンで形成され、
前記柱状スペーサは、前記遮光膜に重ねられるようにして形成されていることを特徴とする液晶表示装置。
【請求項２】
前記遮光膜の前記第２方向に延在する部分の上面には、一つのカラーフィルタが形成されていることはなく、前記第１カラーフィルタ、第２カラーフィルタ、および第３カラーフィルタのうちの少なくとも二つのカラーフィルタが重畳されて形成されていることを特徴とする請求項１に記載の液晶表示装置。
【請求項３】
前記カラーフィルタは、前記一方の基板に、第３カラーフィルタ、第２カラーフィルタ、第１カラーフィルタの順の積層構造で形成されていることを特徴とする請求項１に記載の液晶表示装置。
【請求項４】
前記カラーフィルタは、前記一方の基板に、第３カラーフィルタ、第１カラーフィルタ、第２カラーフィルタの順の積層構造で形成されていることを特徴とする請求項１に記載の液晶表示装置。
【請求項５】
前記カラーフィルタは、前記一方の基板に、第１カラーフィルタ、第３カラーフィルタ、第２カラーフィルタの順の積層構造で形成されていることを特徴とする請求項１に記載の液晶表示装置。
【請求項６】
前記遮光膜は、前記第２方向に隣接する各画素の間に配置され前記第１方向に延在する部分を備えることを特徴とする請求項１に記載の液晶表示装置。
【請求項７】
前記第１カラーフィルタは、赤色フィルタ、緑色フィルタ、青色フィルタのうちの一つのフィタルであり、第２カラーフィルタは残りのフィルタのうちの一つのフィルタであり、第３カラーフィルタは残り一つのフィルタであることを特徴とする請求項１に記載の液晶表示装置。
【請求項８】
前記柱状スペーサは第２基板の前記液晶側の面に形成されていることを特徴とする請求項１に記載の液晶表示装置。
【請求項９】
前記柱状スペーサは、第２基板の前記液晶側の面に前記カラーフィルタを被って形成される平坦化膜上に形成されていることを特徴とする請求項８に記載の液晶表示装置。
【発明の詳細な説明】
【技術分野】
【０００１】
本発明は、液晶表示装置に係り、特に、カラーフィルタを備える液晶表示装置に関する。
【背景技術】
【０００２】
液晶表示装置は、その表示部を構成する複数の各画素において、液晶の光透過率を制御するように構成されている。
【０００３】
すなわち、液晶表示装置は、液晶を挟持する一対の基板が外囲器として構成され、これら基板のうち一方の基板（以下、第１基板と称する場合がある）の液晶側の面に、各画素の液晶に電界を発生させる電子回路が形成されている。
【０００４】
また、各画素を透過する光によって得られる画像をカラー表示するためには、カラーフィルタを必要とし、このカラーフィルタは、前記各基板のうちたとえば他方の基板（以下、第２基板と称する場合がある）の液晶側の面に形成されている。
【０００５】
この場合、前記第２基板の液晶側の面には、通常、ブラックマトリックスと称される遮光膜が隣接する画素の間に形成され、カラーフィルタは前記画素の領域を被って形成される。ブラックマトリックスは表示のコントラストを向上させるために設けられる。
【０００６】
また、カラーフィルタは、たとえば赤、緑、および青からなり、互いに隣接する３つの画素において、これらのカラーフィルタがあてがわれ、カラー表示の単位画素を構成するようになっている。
【０００７】
なお、液晶表示装置は、近年の大型化にともない、少なくとも表示部を構成する領域における第１基板と第２基板との間にいわゆる柱状スペーサを散在させるようにして複数形成し、第１基板と第２基板のギャップを確保し、液晶の層厚の均一化を図っている。
【０００８】
本願発明に関連する文献としては、たとえば下記特許文献１がある。特許文献１には、ブラックマトリックスの上面にカラーフィルタが、このカラーフィルタの上面にスペーサ（フォトスペーサと称している）が形成され、前記カラーフィルタはスペーサと重畳する部分において色の異なる２つのカラーフィルタを重ねて形成した構成が開示されている。これにより、高さの低いスペーサを用いることのできる記載がある。
【先行技術文献】
【特許文献】
【０００９】
【特許文献１】特開２００３−１０７４９３号公報
【発明の概要】
【発明が解決しようとする課題】
【００１０】
ここで、上述のように第２基板に形成されるブラックマトリックス、カラーフィルタ、および柱状スペーサの具体的な構成の一例を示すと図１０に示すようになる。図１０は基板（第２基板）ＳＵＢ２の液晶側から観た平面図、図１１は図１０のXI−XI線における断面図、図１２は図１０のXII−XII線における断面図である。図１０は、本発明の実施例を示す図１と対応させて描いた図である。このため、図１０において、要部以外の構成の説明を省略するが、これらの構成については実施例の説明を参照されたい。
【００１１】
まず、図１０において、基板ＳＵＢ２の液晶側の面にブラックマトリックスＢＭが形成されている。このブラックマトリックスＢＭは、図中ｙ方向に隣接する各画素ＰＩＸの間、および図中ｘ方向に隣接する各画素ＰＩＸの間に形成されている。これにより、ブラックマトリックスＢＭは、各画素ＰＩＸにおいて開口が設けられる格子状のパターンとして形成される。
【００１２】
そして、ブラックマトリックスＢＭを被ってカラーフィルタＣＦが形成されている。カラーフィタルＣＦは、図中ｙ方向に並設される各画素ＰＩＸに共通の色をなし、図中ｘ方向に沿って、赤色（Ｒ）のカラーフィタルＣＦ（図中符号ＣＦｒで示す）、緑色（Ｇ）のカラーフィルタＣＦ（図中符号ＣＦｇで示す）、青色（Ｂ）のカラーフィタルＣＦ（図中符号ＣＦｂで示す）が順次繰り返して形成されている。
【００１３】
ここで、図１０では、前記カラーフィルタＣＦは、カラーフィタルＣＦｂのみを示し、他の色のカラーフィルタＣＦｒ、ＣＦｇの図示は省略している。カラーフィルタＣＦｒ、ＣＦｇはカラーフィタルＣＦｂと同様のパターンとなっており、図示によって描画が複雑になるのを回避するためである。しかし、図１１、図１２では、図１０にてカラーフィタルＣＦｒ、ＣＦｇ、ＣＦｂが全て存在するものとして断面を描画している。
【００１４】
このように形成されたカラーフィタルＣＦｒ、ＣＦｇ、ＣＦｂを被って平坦化膜ＯＣが形成され、この平坦化膜ＯＣの上面であって前記ブラックマトリックスＢＭのうち図中ｘ方向に延在する部分の一部に重ねて柱状スペーサＳＯＣが形成されている。
【００１５】
この場合、図１２に示すように、ブラックマトリックスＢＭが形成されている領域と、ブラックマトリックスＢＭが形成されていない画素ＰＩＸの領域には、ブラックマトリックスＢＭの厚さに相当する段差を有するが、通常、塗布からなる樹脂膜からなる平坦化膜ＯＣの表面には殆ど段差が生じないようにして形成されることになる。しかし、このように構成した場合、第１基板と第２基板との間の液晶を封止し第１基板と第２基板との固着を兼ねるシール材（図２において符号ＳＬで示す）を第２基板面にスキージを用いた印刷によって形成する場合において、不都合が生じることが見出された。
【００１６】
図１３は、シール材を印刷によって形成する場合を概略的に示した図である。図１３において、基板ＳＵＢの表面にシール材ＳＬを所定のパターンで印刷する場合、基板ＳＵＢ２に対向するように印刷版ＰＲＢを配置させる。この印刷版ＰＲＢには前記パターンに対応する部分にメッシュ部ＭＳが形成されている。そして、印刷版ＰＲＢ上に塗布されたシール材ＳＬ'をスキージＳＫの操作によってメッシュ部ＭＳから基板ＳＵＢ２側へ押し出すようにしている。
【００１７】
液晶表示装置において、カラーフィルタＣＦ等が形成された第２基板にシール材ＳＬを形成する場合、図１１、図１２に示す平坦化膜ＯＣの表面に既にラビング処理がされた配向膜（図示せず）が形成された状態で行うようになる。この場合、図１０のXIV−XIV線における断面図である図１４に示すように、印刷版ＰＲＢが、ブラックマトリックスＢＭ上の表面（非表示領域）と当接することは問題とならないが、画素ＰＩＸの領域における配向膜（図示せず）にも接触してしまうことになる。このことは、該配向膜のラビング面にいわゆるメッシュ痕を生じさせることになってしまう。
【００１８】
図１５は、このような不都合を解消した構成図で、図１０と対応させて描いた図である。図１５は基板（第２基板）ＳＵＢ２の液晶側から観た平面図、図１６は図１５のXVI−XVI線における断面図、図１７は図１５のXVII−XVII線における断面図である。
【００１９】
図１５において、図１０の場合と比較して異なる構成は、たとえば、青色（Ｂ）のカラーフィルタＣＦｂにある。すなわち、カラーフィタルＣＦｂは、隣接して配置される同色の他のカラーフィルタＣＦｂと、図中ｘ方向に延在するブラックマトリックスＢＭ上に重ねて延在する延在部ＣＦＳｂによって接続されたパターンで形成されている点にある。なお、カラーフィルタＣＦｒ、カラーフィルタＣＦｇは、図５の場合と同様に省略して示しているが、図１０において説明したと同様のパターンとなっている。
【００２０】
このようにすることによって、図１５のXVIII−XVIII線における断面図である図１８に示すように、印刷版ＰＲＢが、たとえ、ブラックマトリックスＢＭ上の表面（非表示領域）と当接しても、画素ＰＩＸの領域における配向膜（図示せず）との間に充分な隙間Ｇを確保でき、該配向膜と接触してしまう憂いを解消することができる。
【００２１】
しかし、このように構成した場合、図１５に示すｘ方向に延在するブラックマトリックスＢＭ上において、図１６から明らかとなるように、カラーフィルタＣＦｂの形成領域においてはそれが一層のみで形成されているが、カラーフィルタＣＦｒ、カラーフィルタＣＦｇの形成領域においては、カラーフィルタＣＦｂの延在部ＣＦＳｂが重畳して形成される構成となってしまう。このため、たとえば平坦化膜ＯＣの表面において、カラーフィルタＣＦｂの形成領域には凹陷部ＤＮＴが形成され、カラーフィルタＣＦｒ、カラーフィルタＣＦｇの形成領域における表面と間に傾斜面ＳＬＰが形成されてしまうことになる。
【００２２】
このことは、たとえば図中に示す箇所の近傍に柱状スペーサＳＯＣを配置させようとした場合、凹陷部ＤＮＴの平らな底面上に限られ、傾斜面ＳＬＰ上には配置できないという不都合が生じることになる。図中に示す柱状スペーサＳＯＣの近傍は、薄膜トランジスタ、あるいはコンタクトホール等が形成された領域となっており、これらの箇所を回避して前記傾斜面ＳＬＰが形成されている箇所に前記柱状スペーサＳＯＣを配置することが好ましい場合がある。
【００２３】
本発明の目的は、ブラックマトリックス（遮光膜）とカラーフィルタとが重畳する箇所であって、柱状スペーサが配置される箇所に制約をなくすことのできる液晶表示装置を提供することにある。
【課題を解決するための手段】
【００２４】
本発明の液晶表示装置は、ブラックマトリックス（遮光膜）の一方向に延在する部分の上面に、一つの色のカラーフィルタが形成されていることはなく、二つの異なる色のカラーフィルタが重畳されて形成されるように構成したものである。
【００２５】
本発明の構成は、たとえば、以下のようなものとすることができる。
【００２６】
（１）本発明の液晶表示装置は、液晶を挟持して対向配置される第１基板および第２基板と、第１方向およびこの第１方向と交差する第２方向に並設された複数の画素からなる表示領域を備える液晶表示装置であって、
前記第２基板の前記液晶側の面に、少なくとも遮光膜、カラーフィルタが、層構造で形成され、
前記第１基板あるいは前記第２基板の前記液晶側の面に柱状スペーサが形成され、
前記遮光膜は、少なくとも、第１方向に隣接する各画素の間に配置され第２方向に延在する部分を有して形成され、
前記カラーフィルタは、第１方向に並設される各画素に共通の色をなし、第２方向に沿って色の異なる第１カラーフィルタ、第２カラーフィルタ、および第３カラーフィルタが順次繰り返して配置され、
前記第１カラーフィルタは、隣接して配置される同色の他の第１カラーフィルタと前記遮光膜に重ねて延在する延在部によって接続されたパターンで形成され、
前記第１カラーフィルタと隣接して配置される第２カラーフィルタあるいは第３カラーフィルタのいずれかのカラーフィルタは、前記第１カラーフィルタの前記第１方向に延在する部分と交差する前記遮光膜に重ねて延在する延在部を有するパターンで形成され、
前記柱状スペーサは、前記遮光膜に重ねられるようにして形成されていることを特徴とする。
【００２７】
（２）本発明の液晶表示装置は、（１）において、前記遮光膜の前記第２方向に延在する部分の上面には、一つのカラーフィルタが形成されていることはなく、前記第１カラーフィルタ、第２カラーフィルタ、および第３カラーフィルタのうちの少なくとも二つのカラーフィルタが重畳されて形成されていることを特徴とする。
【００２８】
（３）本発明の液晶表示装置は、（１）において、前記カラーフィルタは、前記一方の基板に、第３カラーフィルタ、第２カラーフィルタ、第１カラーフィルタの順の積層構造で形成されていることを特徴とする。
【００２９】
（４）本発明の液晶表示装置は、（１）において、前記カラーフィルタは、前記一方の基板に、第３カラーフィルタ、第１カラーフィルタ、第２カラーフィルタの順の積層構造で形成されていることを特徴とする。
【００３０】
（５）本発明の液晶表示装置は、（１）において、前記カラーフィルタは、前記一方の基板に、第１カラーフィルタ、第３カラーフィルタ、第２カラーフィルタの順の積層構造で形成されていることを特徴とする。
【００３１】
（６）本発明の液晶表示装置は、（１）において、前記遮光膜は、前記第２方向に隣接する各画素の間に配置され前記第１方向に延在する部分を備えることを特徴とする。
【００３２】
（７）本発明の液晶表示装置は、（１）において、前記第１カラーフィルタは、赤色フィルタ、緑色フィルタ、青色フィルタのうちの一つのフィタルであり、第２カラーフィルタは残りのフィルタのうちの一つのフィルタであり、第３カラーフィルタは残り一つのフィルタであることを特徴とする。
【００３３】
（８）本発明の液晶表示装置は、（１）において、前記柱状スペーサは第２基板の前記液晶側の面に形成されていることを特徴とする。
【００３４】
（９）本発明の液晶表示装置は、（８）において、前記柱状スペーサは、第２基板の前記液晶側の面に前記カラーフィルタを被って形成される平坦化膜上に形成されていることを特徴とする。
【００３５】
なお、上記した構成はあくまで一例であり、本発明は、技術思想を逸脱しない範囲内で適宜変更が可能である。また、上記した構成以外の本発明の構成の例は、本願明細書全体の記載または図面から明らかにされる。
【発明の効果】
【００３６】
このように構成した液晶表示装置は、ブラックマトリックス（遮光膜）とカラーフィルタとが重畳する箇所において、柱状スペーサが配置される箇所に制約をなくすようにできる。
【００３７】
本発明のその他の効果については、明細書全体の記載から明らかにされる。
【図面の簡単な説明】
【００３８】
【図１】本発明の液晶表示装置の実施例１を示し、カラーフィルタが形成された基板を液晶側から観た平面図である。
【図２】本発明の液晶表示装置の実施例１の概略を示す平面図である。
【図３】図２に示す第２基板を液晶側から観た平面図である。
【図４】図１のIV−IV線における断面図である。
【図５】図１のV−V線における断面図である。
【図６】図１からブラックマトリックスと緑色（Ｇ）のカラーフィルタを抜き出して示した平面図である。
【図７】図１からブラックマトリックスと青色（Ｂ）のカラーフィルタを抜き出して示した平面図である。
【図８】本発明の液晶表示装置の実施例２を示す断面図である。
【図９】本発明の液晶表示装置の実施例３を示す断面図である。
【図１０】従来の液晶表示装置の一例を示す平面図である。
【図１１】図１０のXI−XI線における断面図である。
【図１２】図１０のXII−XII線における断面図である。
【図１３】シール材を印刷によって形成する場合を概略的に示した図である。
【図１４】図１０のXIV−XIV線における断面図である。
【図１５】従来の液晶表示装置の他の例を示す平面図である。
【図１６】図１５のXVI−XVI線における断面図である。
【図１７】図１５のXVII−XVII線における断面図である。
【図１８】図１５のXVIII−XVIII線における断面図である。
【発明を実施するための形態】
【００３９】
本発明の実施例を図面を参照しながら説明する。なお、各図および各実施例において、同一または類似の構成要素には同じ符号を付し、説明を省略する。
【実施例１】
【００４０】
図２は、本発明が適用される液晶表示装置の実施例１を示す概略平面図である。
【００４１】
図２において、液晶（図示せず）を挟持して対向配置される第１基板ＳＵＢ１と第２基板ＳＵＢ２がある。第１基板ＳＵＢ１は、第２基板ＳＵＢ２と比較して面積が大きく形成され、たとえば図中下側において第２基板ＳＵＢ２から露出した部分を有する。この部分は液晶表示装置の画素を駆動するための半導体装置（チップ）ＳＥＣが搭載されるようになっている。第２基板ＳＵＢ２は、その周辺に形成されるシール材ＳＬによって第１基板ＳＵＢ１に固着され、シール材ＳＬは第１基板ＳＵＢ１と第２基板ＳＵＢ２の間の液晶を封止させる機能をも有するようになっている。
【００４２】
シール材ＳＬによって囲まれた領域は表示領域（表示部）ＡＲを構成し、この表示領域ＡＲにはマトリックス状に配置された多数の画素ＰＩＸが形成されている。これら画素ＰＩＸは、たとえば、次のようにして構成されている。まず、第１基板ＳＵＢ１の液晶側の面に、図中ｘ方向に延在しｙ方向に並設される複数のゲート信号線ＧＬと、図中ｙ方向に延在しｘ方向に並設される複数のドレイン信号線ＤＬが形成されている。各画素ＰＩＸは、一対の隣接するゲート信号線ＧＬと一対の隣接するドレイン信号線ＤＬとで囲まれた領域内に形成され、図中Ａの拡大図で示すように、ゲート信号線ＧＬからの走査信号によってオンされる薄膜トランジスタＴＦＴと、このオンされた薄膜トランジスタＴＦＴを通しドレイン信号線ＤＬからの映像信号が供給される画素電極ＰＸと、この画素電極ＰＸとの間に電界を生じせしめる対向電極ＣＴとを具備して構成されている。対向電極ＣＴは、たとえば図中ｘ方向に延在しｙ方向に並設されるコモン信号線ＣＬを通して前記映像信号に対して基準となる基準信号が供給されるようになっている。また、ゲート信号線ＧＬにおける走査信号、ドレイン信号線ＤＬにおける映像信号、およびコモン信号線ＣＬにおける基準信号は、前記半導体装置ＳＥＣから供給されるようになっている。
【００４３】
図２において、画素の構成は等価回路によって示したが、具体的には、フォトリソグラフィ技術による選択エッチングによって、パターン化された導電膜、絶縁膜、半導体膜等が、所定の順序で積層されて前記回路が形成されたものとなっている。
【００４４】
なお、図２に示した液晶表示装置は、第１基板ＳＵＢ２の面と平行な成分をもつ電界を生じさせて液晶を駆動させるＩＰＳ（In Plane Switching）等のいわゆる横電界方式のものを示したものである。しかし、本発明は、これに限定されることはなく、ＴＮ（Twisted Nematic）、あるいはＶＡ（Vertical Alignment）等の縦電界方式のものにも適用することができる。
【００４５】
図３は、図２に示した液晶表示装置から第２基板ＳＵＢ２を取り外し、この第２基板ＳＵＢ２を液晶側の面から見た平面図を示している。
【００４６】
第２基板ＳＵＢ２の液晶側の面には、まず、ブラックマトリックスＢＭが形成されている。ブラックマトリックスＢＭは、シール材ＳＬで囲まれた表示領域（表示部）ＡＲにおいて、各画素ＰＩＸにおいて開口（図中点線枠）が設けられる格子状のパターンとして形成されている。ブラックマトリックスＢＭは、少なくとも、図２に示したゲート信号線ＧＬ、ドレイン信号線ＤＬ、および薄膜トランジスタＴＦＴを被うようにして形成されている。
【００４７】
また、ブラックマトリックスＢＭが形成された面には、カラーフィルタＣＦが形成されている。カラーフィルタＣＦは、たとえば赤色（Ｒ）、緑色（Ｇ）、および青色（Ｂ）から構成されている。図３において、図中ｙ方向に並設される各画素ＰＩＸにおいて同色のカラーフィルタが共通に形成され、図中ｘ方向に沿って他の異なる色のカラーフィルタが配置され、以下、この順番で繰り返し配列されるようになっている。図３では、たとえば、図中右側から、赤色（Ｒ）のカラーフィルタＣＦ（図中符号ＣＦｒで示す）、緑色（Ｇ）のカラーフィルタＣＦ（図中符号ＣＦｇで示す）、青色（Ｂ）のカラーフィルタＣＦ（図中符号ＣＦｂで示す）の順で繰り返し配列されている。カラー表示の単位画素は、図中ｘ方向に隣接して配置される３個の画素によって構成されるようになる。
【００４８】
以下、これらカラーフィルタＣＦｒ、カラーフィルタｇ、カラーフィルタＣＦｂについてさらに詳述する。図１は、図３に示した各画素のうち、２×４個の画素の部分を拡大して示した平面図となっている。図４は図１のIV−IV線における断面図を、図５は図１のV−V線における断面図を示している。
【００４９】
まず、基板ＳＵＢ２の液晶側の面にブラックマトリックスＢＭが形成されている。このブラックマトリックスＢＭは、図中ｙ方向に隣接する各画素ＰＩＸの間、および図中ｘ方向に隣接する各画素ＰＩＸの間に形成されている。これにより、ブラックマトリックスＢＭは、各画素ＰＩＸにおいて開口が設けられる格子状のパターンとして形成される。
【００５０】
そして、ブラックマトリックスＢＭの上面には、まず、カラーフィルタＣＦｒが形成されている。このカラーフィルタＣＦｒは、複雑化を回避するため図１において図示しないが（ただし、図４、図５には示している）、図１中において符号Ｒを付した画素ＰＩＸを被うようにして図中ｙ方向に延在する帯状パターンとして形成されている。このため、カラーフィルタＣＦｒの長手方向の端辺はドレイン信号線ＤＬ上に位置づけられ、その一部において図中ｘ方向に延在する部分を有することなく形成されている。
【００５１】
カラーフィルタＣＦｇは、図１中において符号Ｇを付した画素ＰＩＸを被うようにして図中ｙ方向に延在するようにして形成されている。この場合、カラーフィルタＣＦｇは、ブラックマトリックスＢＭとカラーフィルタＣＦｇのみを取り出して描画した図６に示すように、前記カラーフィルタＣＦｒが形成された側と反対側において、図中ｘ方向に延在するブラックマトリックスＢＭ上を延在する延在部ＣＦＳｇを備え、この延在部ＣＦＳｇは後述のカラーフィルタＣＦｂが形成される部分（後述の延在部ＣＦＳｂを除く）と重なる範囲において形成されている。
【００５２】
カラーフィルタＣＦｂは、図１中において符号Ｂを付した画素ＰＩＸを被うようにして図中ｙ方向に延在するようにして形成されている。この場合、カラーフィルタＣＧｂは、ブラックマトリックスＢＭとカラーフィルタＣＦｇのみを取り出して描画した図７に示すように、隣接して配置される他の青色（Ｂ）のカラーフィルタＣＦｂと、図中ｘ方向に延在するブラックマトリックスＢＭ上を延在する延在部ＣＦＳｂによって接続されたパターンで形成されている。
【００５３】
このように形成されたカラーフィルタＣＦｒ、ＣＦｇ、ＣＦｂを被って平坦化膜ＯＣが形成され、この平坦化膜ＯＣの上面であって前記ブラックマトリックスＢＭのうち図中ｘ方向に延在する部分の一部に重ねて柱状スペーサＳＯＣが形成されている。この柱状スペーサＳＯＣは、たとえば樹脂膜を形成し、フォトリソグラフィ技術による選択エッチングによって形成でき、所望の高さで所望の箇所に形成できるようになる。
【００５４】
このように構成した場合、図１中において図中ｘ方向に延在するブラックマトリックスＢＭ上に積層されるカラーフィルタＣＦは、該ブラックマトリックスＢＭの延在方向に沿った部分において全て２層（厳密には３層となる部分があるが、この部分の幅は小さく無視することができる）に形成され、１層となってしまう部分は存在しなくなる。このことから、カラーフィルタＣＦを被って形成される平坦化膜ＯＣは、その表面を充分に平坦化できる。したがって、ブラックマトリックスＢＭのうち図１中ｘ方向に延在する部分の一部に重ねて柱状スペーサＳＯＣを形成する場合、柱状スペーサＳＯＣの配置に制約が付されしまうことはなくなる。
【００５５】
また、図５から明らかとなるように、図１中ｘ方向に延在する部分のブラックマトリックスＢＭ上において、２層のカラーフィルタＣＦの積層を確保できることから、画素ＰＩＸの領域よりも充分な凸部を形成でき、印刷によってシール材ＳＬを形成する際に、配向膜のラビング面にいわゆるメッシュ痕が生じてしまう不都合を解消することができる。
【実施例２】
【００５６】
実施例１では、カラーフィルタＣＦの形成において、赤色（Ｒ）のカラーフィルタＣＦｒ、緑色（Ｇ）のカラーフィルタＣＦｇ、および青色（Ｂ）のカラーフィルタＣＦｂの順序で積層させた構成としたものである。
【００５７】
しかし、図４と対応して描画した図８に示すように、赤色（Ｒ）のカラーフィルタＣＦｒ、青色（Ｂ）のカラーフィルタＣＦｂ、および緑色（Ｇ）のカラーフィルタＣＦｇの順序で積層させた構成とするようにしてもよい。この場合、各カラーフィルタＣＦｒ、ＣＦｂ、ＣＦｇのそれぞれの平面パターンは、実施例１に示したそれぞれ対応する各カラーフィルタＣＦｒ、ＣＦｂ、ＣＦｇの平面パターンと同様となっている。
【００５８】
このようにした場合でも、ブラックマトリックスＢＭ上に積層されるカラーフィルタＣＦは、該ブラックマトリックスＢＭの延在方向に沿った部分において全て２層に形成され、実施例１に示した効果と同様の効果が得られるようになる。
【実施例３】
【００５９】
実施例３においても、図９に示すように、各カラーフィルタＣＦｒ、ＣＦｂ、ＣＦｇの積層構造が異なっている場合を示している。
【００６０】
図９も、図４と対応して描画された図で、青色（Ｂ）のカラーフィルタＣＦｂ、赤色（Ｒ）のカラーフィルタＣＦｒ、および緑色（Ｇ）のカラーフィルタＣＦｇの順序で積層させた構成とするようにしてもよい。この場合も、各カラーフィルタＣＦｂ、ＣＦｒ、ＣＦｇのそれぞれの平面パターンは、実施例１に示したそれぞれ対応する各カラーフィルタＣＦｂ、ＣＦｒ、ＣＦｇの平面パターンと同様となっている。
【００６１】
このようにした場合でも、ブラックマトリックスＢＭ上に積層されるカラーフィルタＣＦは、該ブラックマトリックスＢＭの延在方向に沿った部分において全て２層に形成され、実施例１に示した効果と同様の効果が得られるようになる。
【実施例４】
【００６２】
上述した各実施例では、柱状スペーサＳＯＣを第２基板ＳＵＢ２側に形成した構成としたものである。しかし、これに限定されることはなく、第１基板ＳＵＢ１側に形成するようにしてもよい。
【００６３】
柱状スペーサＳＯＣを第１基板ＳＵＢ１側において、凹凸の少ない表面に形成できる場合、第１基板ＳＵＢ２の液晶側の面において、少なくとも、前記柱状スペーサＳＯＣの頭部に当接する面は平坦となっていることが好ましいからである。
【実施例５】
【００６４】
図１に示したブラックマトリックスＢＭは、図１中ｙ方向に隣接する各画素ＰＩＸの間、および図中ｘ方向に隣接する各画素ＰＩＸの間に形成されるパターンとしたものである。しかし、図中ｘ方向に隣接する各画素ＰＩＸの間に形成される部分を無くしたパターンで構成するようにしてもよい。すなわち、ゲート信号線ＧＬを被ったパターンからなるブラックマトリックスＢＭであってもよい。
【００６５】
以上、本発明を実施例を用いて説明してきたが、これまでの各実施例で説明した構成はあくまで一例であり、本発明は、技術思想を逸脱しない範囲内で適宜変更が可能である。また、それぞれの実施例で説明した構成は、互いに矛盾しない限り、組み合わせて用いてもよい。
【符号の説明】
【００６６】
ＳＵＢ１……第１基板、ＳＵＢ２……第２基板、ＳＬ……シール材、ＳＥＣ……半導体装置、ＡＲ……表示領域（表示部）、ＧＬ……ゲート信号線、ＤＬ……ドレイン信号線、ＣＬ……コモン信号線、ＴＦＴ……薄膜トランジスタ、ＰＸ……画素電極、ＣＴ……対向電極、ＰＩＸ……画素、ＢＭ……ブラックマトリックス（遮光膜）、ＣＦ……カラーフィルタ、ＣＦｒ……赤色（Ｒ）のカラーフィルタ、ＣＦｇ……緑色（Ｇ）のカラーフィルタ、ＣＦＳｇ……緑色（Ｇ）のカラーフィルタの延在部、ＣＦｂ……青色（Ｂ）のカラーフィルタ、ＣＦＳｂ……青色（Ｂ）のカラーフィルタの延在部、ＯＣ……平坦化膜、ＳＯＣ……柱状スペーサ、ＤＮＴ……凹陷部、ＳＬＰ……傾斜面、ＰＲＢ……印刷版、ＳＫ……スキージ、ＭＳ……メッシュ部。
【図１】
2011017751.tif 000003
【図２】
2011017751.tif 000004
【図３】
2011017751.tif 000005
【図４】
2011017751.tif 000006
【図５】
2011017751.tif 000007
【図６】
2011017751.tif 000008
【図７】
2011017751.tif 000009
【図８】
2011017751.tif 000010
【図９】
2011017751.tif 000011
【図１０】
2011017751.tif 000012
【図１１】
2011017751.tif 000013
【図１２】
2011017751.tif 000014
【図１３】
2011017751.tif 000015
【図１４】
2011017751.tif 000016
【図１５】
2011017751.tif 000017
【図１６】
2011017751.tif 000018
【図１７】
2011017751.tif 000019
【図１８】
2011017751.tif 000020